(57)【特許請求の範囲】
【請求項１】
チャイルドレジスタントスライダチャッククロージャシステムであって、
インターロックしたりロック解除したりするための相補的な輪郭を有する雄トラック及び雌トラックを有する再閉可能なチャッククロージャと、
前記相補的な輪郭によって画定されたノッチであって、スライダチャッククロージャシステムの端部から離間するノッチと、
前記チャッククロージャ上に摺動可能に位置するスライダであって、前記スライダが、トピードを有する可撓性のあるタブを備えており、前記スライダが、前記ノッチ近傍まで移動したときに、前記タブを、前記雄トラック及び雌トラックの間である位置まで選択的に動かすことができ、結果的に、前記スライダが前記チャッククロージャに沿って開方向に移動するときに、インターロックしている前記相補的な輪郭が分離されることになる、スライダと、
を備え、
前記スライダが、頂部材と、第一及び第二の脚部を備える底部材と、端壁とを有するベースを備えており、
本体が、前記第一及び第二の脚部が前記雄トラック及び雌トラックを跨いだ状態で前記雄トラック及び雌トラックの上縁部に沿って移動するように適合されており、
前記タブが、前記ベースの前記頂部材から延在し、かつ、開放された容積のキャビティが中間にあるように前記ベースの前記第一及び第二の脚部の上に間隔をあけて配置されており、前記開放された容積のキャビティが前記タブと前記第一の脚部及び前記第二の脚部との間で前記端壁から延在するように、前記キャビティには、脚部が無く、側壁が無く、その他のスライダ構造が無く、前記タブが、前記ベースに対して、前記第一及び第二の脚部に対して近づいたり離れたりする方向に枢動軸周りに曲がるように構成されると共に配置されており、
前記トピードが、前記タブの底面から延在していると共に、前記タブが曲がるにつれて、前記第一及び第二の脚部に対して近づいたり離れたりするように曲がる、チャイルドレジスタントスライダチャッククロージャシステム。
【請求項２】
請求項１に記載のチャイルドレジスタントスライダチャッククロージャシステムを用いた可撓性のある包装体であって、
前記包装体が、第一のパネル及び第二のパネルを備えており、前記第一のパネル及び第二のパネルの各々が、口部を形成する頂部、底部、及び対向する第一及び第二の側部を有しており、前記第一のパネル及び第二のパネルが、前記第一のパネル及び第二のパネルのそれぞれにおける前記底部、並びに対向する前記第一の側部及び前記第二の側部に沿って互いに結合されており、
一方の輪郭が、前記第一のパネルの前記頂部に近接しており、他方の輪郭が、前記第二のパネルの前記頂部に近接している、包装体。
【請求項３】
前記トピードが三角形状である、請求項１に記載のチャイルドレジスタントスライダチャッククロージャシステム。
【請求項４】
前記ノッチの長さが、前記トピードの長さよりも長い、請求項１又は３に記載のチャイルドレジスタントスライダチャッククロージャシステム。
【請求項５】
前記ノッチの長さが、前記トピードの長さと等しい、請求項１又は３に記載のチャイルドレジスタントスライダチャッククロージャシステム。
【請求項６】
前記ノッチの長さが、前記トピードの長さよりも短い、請求項１又は３に記載のチャイルドレジスタントスライダチャッククロージャシステム。
【請求項７】
前記雄トラックが雄輪郭を備え、前記雌トラックが雌輪郭を備え、前記雄輪郭及び前記雌輪郭が、インターロックしたりロック解除したりするための相補的な横断面を有する、請求項１及び３から６のいずれか一項に記載のチャイルドレジスタントスライダチャッククロージャシステム。
【請求項８】
インターロックしたりロック解除したりするための相補的な輪郭を有する雄トラック及び雌トラックを有するチャッククロージャ用のスライダであって、前記スライダが、
頂部材と、第一及び第二の脚部を備える底部材と、端壁とを有するベースであって、前記第一及び第二の脚部が前記雄トラック及び雌トラックを跨いだ状態で前記雄トラック及び雌トラックの上縁部に沿って移動するように適合されたベースと、
前記ベースの前記頂部材から延在し、かつ、開放された容積のキャビティが中間にあるように前記ベースの前記第一及び第二の脚部の上に間隔をあけて配置されたタブであって、前記開放された容積のキャビティが前記タブと前記第一の脚部及び前記第二の脚部との間で前記端壁から延在するように、前記キャビティには、脚部が無く、側壁が無く、その他のスライダ構造が無く、前記タブが、前記ベースに対して、前記第一及び第二の脚部に対して近づいたり離れたりする方向に枢動軸周りに曲がるように構成されると共に配置されている、タブと、
前記タブの底面から延在していると共に、前記タブが曲がるにつれて、前記第一及び第二の脚部に対して近づいたり離れたりするように動くトピードであって、前記トピードが、前記雄トラック及び雌トラックの間である位置まで選択的に移動可能であり、結果的に、前記スライダが前記チャッククロージャに沿って開方向に移動するときに、インターロックしている前記相補的な輪郭が分離されることになる、トピードと、
を備えており、
前記第一及び第二の脚部が内面を有しており、前記内面が、前記スライダが前記チャッククロージャに沿って閉方向に移動するときに、前記輪郭を押圧してインターロック関係にするのに十分な近さで互いに離間している、スライダ。
【請求項９】
前記トピードが三角形状である、請求項８に記載のスライダ。
【請求項１０】
前記タブが、前記スライダの端部と並ぶ端部を有する、請求項８に記載のスライダ。
【請求項１１】
前記タブが、前記スライダの端部を越えて延在する端部を有する、請求項８に記載のスライダ。
【請求項１２】
前記タブが、前記スライダの端部までは延びていない端部を有する、請求項８に記載のスライダ。
【請求項１３】
前記タブが、前記ベースに対して水平方向に延在する、請求項８に記載のスライダ。
【請求項１４】
前記タブが、前記ベースから上向き方向に延在する、請求項８に記載のスライダ。
【請求項１５】
前記タブが、前記ベースから下向き方向に延在する、請求項８に記載のスライダ。
【請求項１６】
前記タブが、凹面形状で終端している、請求項８に記載のスライダ。
【請求項１７】
前記タブが、前記スライダの前記第一及び第二の脚部の間で移動可能である、請求項８に記載のスライダ。
【請求項１８】
前記スライダが、単一部品として成形されている、請求項８から１７のいずれか一項に記載のスライダ。
【請求項１９】
開閉可能な口部を有するチャック付きの袋体を操作する方法であって、第一のパネル及び第二のパネルを備えるチャック付きの袋体であって、前記第一のパネル及び第二のパネルの各々が、口部を形成する頂部、底部、及び対向する第一及び第二の側部を有しており、前記第一のパネル及び第二のパネルが、前記第一のパネル及び第二のパネルのそれぞれにおける前記底部、並びに対向する前記第一の側部及び前記第二の側部に沿って互いに結合されており、再閉可能なチャッククロージャが、インターロックしたりロック解除したりするための相補的な輪郭を有する雄トラック及び雌トラックを備えており、一方の輪郭が、前記第一のパネルの前記頂部に近接しており、他方の輪郭が、前記第二のパネルの前記頂部に近接しており、前記相補的な輪郭が、前記口部を閉じるためにインターロックして、前記口部を開けるためにロック解除し、前記チャッククロージャが、前記第一の側部から離間しているノッチを備え、スライダが前記チャッククロージャ上に位置する、チャック付きの袋体を提供するステップと、
前記スライダを前記ノッチまで移動させる過程であって、
前記スライダが、
頂部材、第一及び第二の脚部を備える底部材、並びに端壁を有するベースと、
前記ベースの前記頂部材から延在し、かつ、開放された容積のキャビティが中間にあるように前記ベースの前記第一及び第二の脚部の上に間隔をあけて配置された可撓性のあるタブであって、前記開放された容積のキャビティが前記タブと前記第一の脚部及び前記第二の脚部との間で前記端壁から延在するように、前記キャビティには、脚部が無く、側壁が無く、その他のスライダ構造が無く、前記タブが、前記ベースに対して、前記第一及び第二の脚部に対して近づいたり離れたりする方向に枢動軸周りに曲がるように構成されると共に配置されている、タブと、
前記タブの底面から延在していると共に、前記タブが曲がるにつれて、前記第一及び第二の脚部に対して近づいたり離れたりするように曲がるトピードと、
を備える、過程と、
前記スライダ上の前記可撓性のあるタブを押下することで、前記タブの表面の前記トピードを前記雄トラックと前記雌トラックとの間に位置付ける過程と、
押下しながら、前記スライダを前記チャッククロージャに沿って開方向に移動させ、結果的に、インターロックしている輪郭を分離させることになる過程と、
によって前記口部を開けるステップと、
を含む方法。
【請求項２０】
前記スライダを前記雄トラックに沿って閉方向に移動させることで前記輪郭をインターロックすることよって、前記口部を閉じるステップを更に含む、請求項１９に記載の方法。
【請求項２１】
前記タブが前記頂部材から片持ち支持されている、請求項１に記載のチャイルドレジスタントスライダチャッククロージャシステム。
【請求項２２】
前記タブが前記頂部材から片持ち支持されている、請求項８に記載のスライダ。
【請求項２３】
前記スライダを前記ノッチまで移動させる前記過程は、前記タブが前記頂部材から片持ち支持されている前記スライダを動かすことを含む、請求項１９に記載の方法。
【発明の詳細な説明】
【技術分野】
【０００１】
本願は、ＰＣＴ国際特許出願として２０１４年４月４日に出願されたものであり、２０１３年４月９日に出願された米国仮特許出願番号第６１／８１００７８号を基礎とする優先権を主張しており、その結果、基礎出願の開示は、その全体が参照により本明細書に組み込まれる。
【０００２】
本開示は、再閉可能なチャック付きパウチに関する。より具体的には、本開示は、チャイルドレジスタントである再閉可能なチャック付きパウチに関する。
【背景技術】
【０００３】
家庭用品の製造業者は、可撓性包装体によってもたらされる利点に起因して、剛体包装体を再閉可能な可撓性包装体に次第に置き換えてきており、前記利点としては、包装材料がより少なく、包装コストがより低く、収納スペースが少なくなり、運送コストがより低いことが挙げられる。
【先行技術文献】
【特許文献】
【０００４】
【特許文献１】米国特許第７９２１５３４号明細書
【特許文献２】米国特許第５０８８９７１号明細書
【特許文献３】米国特許第５１３１１２１号明細書
【特許文献４】米国特許第５１６１２８６号明細書
【特許文献５】米国特許第５４４８８０７号明細書
【特許文献６】米国特許第５００７１４３号明細書
【発明の概要】
【発明が解決しようとする課題】
【０００５】
家庭用品を収容した再閉可能な可撓性包装体が購入されると、それらは、通常、家庭内の使いやすい場所に収納され、そこで、内容物を使い切るまで、それらは、取り出されて開けられて再び閉じられる。これらの包装体を開けて再び閉じるのは、成人および子どもの両者にとって容易である。これらの包装体が、潜在的に有害な製品を収容していて、幼児達の手の届く場所にある場合、これは、幼児達にとって危険である。そのため、子ども達がパウチを開けるのを難しくする大掛かりなクロージャ及び方法を提供し、それにもかかわらず、成人や高齢者がパウチを開けるのに十分な手段を提供する必要がある。
【課題を解決するための手段】
【０００６】
一態様において、チャイルドレジスタントスライダチャッククロージャシステムが提供される。このシステムは、インターロックしたりロック解除したりするための相補的な輪郭を有する雄トラック及び雌トラックを有する再閉可能なチャッククロージャを備える。前記相補的な輪郭によってノッチが画定されており、そのノッチは、スライダチャッククロージャシステムの端部から離間している。スライダは、チャッククロージャ上に摺動可能に位置している。そのスライダは、トピードを有する可撓性のあるタブを備えている。スライダが、ノッチ近傍まで移動したときに、タブを、雄トラック及び雌トラックの間である位置まで選択的に動かすことができ、結果的に、スライダがチャッククロージャに沿って開方向に移動するときに、インターロックしている輪郭が分離されて口部が開くことになる。
【０００７】
別の態様では、インターロックしている相補的な輪郭を有する雄トラック及び雌トラックを有するチャッククロージャ用のスライダが提供される。スライダは、頂部材と底部材とを有するベースを備えている。底部材は、第一及び第二の脚部を備えている。ベースは、第一及び第二の脚部がトラックを跨いだ状態でトラックの上縁部に沿って移動するように適合されている。タブは、ベースの頂部材から延在していると共に、ベースの第一及び第二の脚部の上に間隔をあけて配置されている。タブは、ベースに対して、第一及び第二の脚部に対して近づいたり離れたりする方向に枢動軸周りに曲がるように構成されると共に配置されている。トピードは、タブの底面から延在していると共に、タブが曲がるにつれて、第一及び第二の脚部に対して近づいたり離れたりするように曲がる。トピードは、雄トラックと雌トラックとの間の位置まで選択的に移動可能であり、結果的に、スライダがチャッククロージャに沿って開方向に移動するときに、インターロックしている相補的な輪郭が分離されることになる。第一及び第二の脚部は内面を有しており、その内面は、スライダがチャッククロージャに沿って閉方向に移動するときに、輪郭を押圧してインターロック関係にするのに十分な近さで互いに離間している。  
【０００８】
別の態様では、開閉可能な口部を有するチャック付きの袋体を操作する方法が提供される。その方法は、第一のパネル及び第二のパネルを備えるチャック付きの袋体を提供するステップを含んでおり、第一のパネル及び第二のパネルの各々が、口部を形成する頂部、底部、及び対向する第一及び第二の側部を有する。第一のパネル及び第二のパネルは、それらのそれぞれの底部、それらのそれぞれの対向する第一の側部、及びそれらのそれぞれの対向する第二の側部に沿って互いに結合されている。インターロックしたりロック解除したりする相補的な輪郭を有する雄トラック及び雌トラックを備えるチャッククロージャが提供されている。前記輪郭のうちの一方が、第一のパネルの頂部に近接していると同時に、他方の輪郭が、第二のパネルの頂部に近接している。前記輪郭は、口部を閉じるためにインターロックして、口部を開けるためにロック解除する。チャッククロージャは、第一の側部から離間しているノッチを備える。スライダは、チャッククロージャ上に位置する。前記方法は、スライダをノッチまで移動させる過程と、スライダ上の可撓性のあるタブを押下することで、タブの裏面のトピードを雄トラックと雌トラックとの間に位置付ける過程と、押下しながら、スライダをチャッククロージャに沿って開方向に移動させ、結果的に、インターロックしている輪郭を分離させることになる過程と、によって口部を開けるステップを含む。
【０００９】
望ましい物の特徴または方法の様々な実施例は、下記の詳細な説明に一部記載されており、一部は詳細な説明から明らかになるだろうし、或いは、この開示の種々の態様を実施して知り得る。開示の態様は、個別の特徴、並びに特徴の組み合わせに関するものであってもよい。前述した一般的な説明及び後述の詳細な説明の両方は、単なる説明のためのものであり、特許請求の範囲に記載された発明を限定するものではないことが理解されるべきである。
【図面の簡単な説明】
【００１０】
【図１】図１は、本開示の原理に従って構成されたスライダの平面図である。
【図２】図２は、図１のスライダの正面図である。
【図３】図３は、図２のスライダの図であって、ベースから上向きに延びたタブを示している。
【図４】図４は、図２のスライダの図であって、ベースから下向きに延びたタブを示している。
【図５】図５は、図１のスライダの代替の実施形態の正面図である。
【図６】図６は、図１のスライダの別の実施形態の正面図である。
【図７】図７は、図１のスライダの別の代替の実施形態の平面図である。
【図８】図８は、超音波溶着端部に隣接するチャッククロージャの端部における図７のスライダの模式的な平面図である。
【図９】図９は、図１のスライダの別の代替の実施形態の平面図である。
【図１０】図１０は、図１のスライダの横断面図であり、この横断面図は図２のＡ−Ａ線に沿って切断されている。
【図１１】図１１は、図１のスライダの端面図である。
【図１２】図１２は、図９のスライダの端面図である。
【図１３】図１３は、再閉可能なチャッククロージャの上に組み付けられた図１及び図２のスライダを有する再閉可能なチャッククロージャの模式的な図である。
【図１４】図１４は、図１３の再閉可能なチャッククロージャ及びスライダを有する袋体の例示的な実施形態の模式的な斜視図である。
【図１５】図１５は、図１４の袋体の断面図である。
【発明を実施するための形態】
【００１１】
まず図１３を参照すると、袋体Ｂの一部が再閉可能なチャッククロージャ３６を有することが示されている。チャッククロージャ３６は、子どもがチャッククロージャ３６を容易に開けることができないようにするチャイルドレジスタント開放機能を備える。
【００１２】
特に、チャッククロージャ３６は、チャイルドレジスタント機能を有するスライダ１を備える。スライダ１の詳細については、以下で更に述べる。
【００１３】
例示的な実施形態では、（図１４及び図１５に示された）袋体Ｂは、多様な方法で作ることができる。図示された限定されない実施例では、袋体Ｂは、２つに折りたたまれた単一の可撓性プラスチックシートから形成されており、対向する第一及び第二の本体パネル２５，２６を備えている。本体パネル２５，２６は互いに、一対の側部２８，３０と一対の側部２８，３０の間に延在する底部３２とに沿って固定的に連結されている。袋体Ｂは、好ましくは、袋体Ｂの底部３２の反対側に形成された口部３８に沿って延在するチャッククロージャ３６を有しており、このチャッククロージャ３６は、インターロックしたりロック解除したりするための相補的な輪郭を有している。一実施例では、相補的な輪郭は、雄トラック１８および雌トラック１９を備える。チャッククロージャ３６が開位置にロック解除されたときに、袋体Ｂの内部容積３９は、口部３８からアクセス可能となる。
【００１４】
チャッククロージャ３６の両端には、隆起部２４，２７を形成する雄輪郭及び雌輪郭の超音波溶着端部が設けられている。隆起部２４，２７は、スライダがチャッククロージャの端部から簡単に引き抜かれるのを防ぐための端止めを形成している。多くのバリエーションが可能である。例えば、端止めは、米国特許第７９２１５３４号明細書、米国特許第５０８８９７１号明細書、米国特許第５１３１１２１号明細書、米国特許第５１６１２８６号明細書、及び米国特許第５４４８８０７号明細書のうちの何れかに従って作ることが可能であり、これらの文献はそれぞれ、その全体が参照によって本明細書に組み込まれる。
【００１５】
図１５に示されているように、この限定されない実施例では、トラック１８，１９が、インターロックしている雄輪郭１４及び雌輪郭１５を有しており、雄輪郭１４は、トラック上のリブ要素の形でトラック１８の長さにわたって延在しており、雌輪郭１５は、トラック上の溝要素の形でトラック１９の長さにわたって延在している。トラック１８とトラック１９は、フィン１６によって別々に押し出されて袋体の口部３８の各側部に取り付けられたり、或いは、袋体の口部３８の側部で一体的に押し出されたりすることができる。  トラック１２，１３が別々に押し出される場合、それらは、トラックの中に組み込まれた第一及び第二のフィン１６のそれぞれによって取り付け可能であり、第一及び第二のフィン１６はそれぞれ袋体にヒートシールされている。雄輪郭１８及び雌輪郭１９は、相補的な横断面形状を有しており、まず要素の底部を押し付け合わせ、それから要素をその頂部に向かって閉位置まで回転させることによって閉じられる。インターロックしている雄輪郭１４及び雌輪郭１５の横断面形状は、米米国特許第５００７１４３号明細書で説明されており、この文献はその全体が参照によって本明細書に組み込まれる。多様な実施形態があり、これは例示を目的とした単なる実施例である。
【００１６】
ここで、図１から図３を参照すると、チャイルドレジスタント機能を内蔵したスライダ１の例示的な実施形態が説明されている。スライダ１は、チャッククロージャ３６上に摺動可能に位置している。スライダ１は、可撓性のあるタブ２を備えている。可撓性のあるタブ２は、上面４０、底面４２（図２）、及び、上面４０と底面４２との間に延在する第一の側面５１と第二の側面５２を有する。タブ２は、底面４２から延在するトピード３を備える。「トピード」という用語は、底面４２から突出した形状の、インターロックされた雄輪郭１４及び雌輪郭１５を分離させるための口開け用の指部又は鋤部を意味する。いくつかの例示的な実施形態では、トピード３は、インターロックされた雄輪郭１４及び雌輪郭１５に物理的に突き刺すのではなくて、トラック１８，１９の間に延びて、それによって、トラック１８，１９が互いに分離して、結果的に、トラック１８，１９は、インターロックされた雄輪郭１４及び雌輪郭１５が解かれて分離されることになる。トピード３の奥行きは、クロージャ３６を開けやすくしたり開けにくくしたりするために、変更することができる。図１に示されているように、トピード３は、水平面に沿って三角形状になっている。スライダ１がチャッククロージャにおけるノッチ８の中まで移動されたとき、タブ２は、トピードを雄トラック１８と雌トラック１９との間に挿入させる位置まで選択的に動かすことができ、結果的に、スライダ１がチャッククロージャ３６に沿って開方向４４（図１４）に移動したときに、インターロックされた雄輪郭１４及び雌輪郭１５が分離されることになる。
【００１７】
スライダ１の多くの実施形態が可能である。スライダ１は、袋体Ｂの頂部でチャッククロージャ３６に跨設されており、且つ、チャッククロージャ３６のインターロックしているトラック１２，１３を開閉するのに適している。スライダ１は、例えば、ナイロン、ポリプロピレン、ポリエチレン、ポリスチレン、デルリン（登録商標）、またはＡＢＳなどの任意の適切なプラスチックから成形され得る。１つの実施形態では、スライダは、単一部品として成形されている。他の実施形態が可能である。
【００１８】
例示的な実施形態において、図１０に示されているように、スライダ１は、逆Ｕ形部材を備えており、この逆Ｕ形部材は、横方向支持部材、すなわち本体１７を備えており、タブ２がこの本体１７から外側へ向かって延在している。
【００１９】
図示された実施例では、スライダ本体１７は、ベース４６を備えている。ベース４６は、頂部材４８及び底部材５０と、側壁７とを備えている。底部材５０は、間隔をあけて対向する第一及び第二の脚部２０，２１を備えることができ、第一及び第二の脚部２０，２１はそれぞれ、内方へ延びた肩構造２０，２１を有している。第一及び第二の脚部２０，２１は内面を有しており、それらの内面は、スライダ１がチャッククロージャ３６に沿って閉方向５６に移動するときに雄輪郭１４及び雌輪郭１５を押圧してインターロック関係にするのに十分な近さで互いに離間している。
【００２０】
ベース４６は、第一及び第二の脚部２０，２１がトラック１８，１９を跨いだ状態で雄トラック１８及び雌トラック１９の上縁部に沿って移動するように適合されている。スライダ１がトラック１８，１９の縁部から引き上げられて抜けるのを防ぐために、スライダ１がチャッククロージャ３４に跨設されている間、肩構造２２，２３がチャッククロージャ３６の底部に係合する。
【００２１】
図１０は、図２に示されたスライダ１のＡ−Ａ断面を切断したスライダの横断面図を示しており、図１１は、スライダ１の端面図を示している。
【００２２】
可撓性のあるタブ２は、ベース４６の頂部材４８から、図５に示されたように端壁７の手前の位置まで、若しくは、図２に示されたように壁７と並ぶ位置まで、若しくは、図６に示されたように端壁７を越えた位置まで延在することができる。可撓性のあるタブ２は、図２に示されたように水平方向に、若しくは、図３に示されたように水平線から上方へ角度αで上向き方向に、若しくは、図４に示されたように水平線から下方へ角度βで下向き方向に、外側に向かって延在することができる。図２に示されているように、可撓性のあるタブ２は、頂部材４８から片持ち支持されている。タブ２は、開放された容積のキャビティ５が中間にあるように、第一及び第二の脚部２０，２１の上に間隔をあけて配置されている。開放された容積のキャビティ５が、タブ２と脚部２０，２１との間で端壁７から延在するように、キャビティ５には、脚部が無く、側壁が無く、その他のスライダ構造が無い。多くのバリエーション、及び、図２から図６に示された例示的な実施形態があり得て、キャビティ５は、端壁７からスライダ１の全体長さの少なくとも５０％、例えば少なくとも６０％であって９０％以下にわたって延在する。
【００２３】
タブ２は、ベース４６の頂部材４８に枢動点すなわち枢動軸４で結合されている。タブ２は、ベース４６に対して、第一及び第二の脚部２０，２１に対して近づいたり離れたりする方向に枢動軸４周りに曲がるように構成されると共に配置される。１つの実施形態では、タブ２は、キャビティ５によって画定された容積の中へ動かすことによって脚部２０，２１の方へ向かって曲がることができる。別の実施形態では、図９及び図１２に示されているように、タブ２は、脚部２０，２１の方へ向かって曲がり、その最も下向きの位置において脚部２０，２１間に嵌合することができる。タブ２が底部材５０へ向かって曲げられたとき、その後、キャビティ５を通って底部材５０から離れてその元の動いていない位置まで戻るように曲がることによって、その静止位置まで戻るように曲がることができる。
【００２４】
トピード３は、先に述べたようにタブ２の底面４２から延在している。トピード３は、タブ２が曲がるにつれて、底部材５０及び第一及び第二の脚部２０，２１に対して近づいたり離れたりするように曲がる。図１及び図２に示されているように、この実施形態では、トピード３は、タブ２の端部５４に位置している。この実施例では、トピード３は三角形状になっており、三角形底辺６０がタブ２の端部５４の位置にあるか、或いはタブ２の端部５４に隣接している。他の実施形態では、トピード３は、端部５４から離間され得る。トピード３の尖端６２は、三角形底辺６０の反対側にあり、雄トラック１８および雌トラック１９に突き刺してから分離させるのに有用であり、結果的に、そのように動作可能に位置付けられたとき、インターロックされた雄輪郭１４及び雌輪郭１５が分離されることになる。
【００２５】
トピード３は、雄トラック１８および雌トラック１９の間である位置まで選択的に移動させることが可能であり、結果的に、スライダ１がチャッククロージャ３６に沿って開方向４４に移動したときに、インターロックされた雄輪郭１４及び雌輪郭１５が分離されることになる。
【００２６】
図７に示された変形例では、タブ２の端部５４は、凹面になっている。図８の模式図では、凹面状の端部５４が、チャッククロージャ３６の超音波溶着端部の隆起部分２４に係合していることで、スライダ１の端部保持を向上させている。
【００２７】
タブ２は、下向きの圧力をかけることによって枢動軸４周りに下がることができ、解放されるとその元の位置まではね返ると理解されるべきである。タブ２の厚さ、長さ、枢動軸は、成人や高齢者がスライダ１を動かして袋体Ｂを開けることを可能にしつつ、幼児にとって難しくなるように調整され得る。国際的および国内的なチャイルドレジスタント包装の試験プロトコルでは、子どもが月齢５２ヵ月未満である場合、その子どもを幼児とみなす。
【００２８】
ここで図１３を参照すると、スライダ１は、袋体Ｂの側部２８から距離１０を離して停止されることが示されている。この位置において、雄輪郭１４及び雌輪郭１５がインターロックされて、チャッククロージャ３６が閉じられる。チャック輪郭６は、袋体Ｂの側部２８から距離１１を離して配置されたノッチ８を備える。距離１１は、スライダ１がその停止位置からノッチ８に到達するまで移動させる必要がある距離である。例えば、これは、チャッククロージャ３６の長さの約４分の１である。ノッチ８の長さ１２はトピード３の長さよりも僅かに長くすることができ、これにより、ノッチ８の中への容易な挿入が可能になる。トピード３をチャッククロージャ３６に係合させるのをより難しくするために、できるだけ短いノッチ８を有することが好ましい。いくつかの実施では、ノッチ８の長さ１２は、トピード３の長さとほぼ等しくすることができ、その上、いくつかの実施では、ノッチ８の長さ１２は、トピード３の長さよりも短くすることができる。多くのバリエーションがあり得る。
【００２９】
操作では、チャッククロージャ３６を開けるために、第一のステップとして、スライダ１が使用者によって把持される。例えば、スライダ１は、人差し指でタブ２の表面に下向きの圧力をかけながら、スライダ１の一方側を親指で、他方側を中指で把持することができる。第二のステップとして、スライダ１は、タブ２がキャビティ５の中へ下向きに曲がるのを許容するノッチ８に到達するまで、タブ２の表面への下向きの圧力を維持したまま、チャッククロージャ３６上の停止場所から、チャッククロージャ３６の反対側の端部へ向かって動かされる。第三のステップとして、スライダ１への成人レベルの力を使ってトピード３を雄トラック１８と雌トラック１９との間に係合させ、結果的に、インターロックされた雄輪郭１４及び雌輪郭１５を分離させる。第四のステップとして、スライダ１を開方向４４に移動させながら、連続的な下向きの圧力をタブ２の表面にかける。
【００３０】
タブ２の下向きの圧力を解放すると、タブ２は、その元の水準位置に戻って、チャック輪郭２から外れる。次いで、使用者は、袋体Ｂを開けて、内部容積３９および包装内容物６４にアクセスする。次いで、袋体Ｂは、スライダ１をその元の位置まで摺動させることによって再閉される。タブ２は、チャッククロージャ３６を閉じている間、その元の外れた状態のままでいることが必要なので、チャッククロージャ３６を閉じるためにタブ２を押し下げる必要はなく、また、それは望ましくない。
【００３１】
スライダ１には利点があると認識されるべきである。例えば、水平なタブの実施形態におけるスライダ１の形状は、大量生産のための自動供給マガジンに積み重ねるのに適している。
【００３２】
さらに、スライダ１およびチャッククロージャ３６は、スライダ１を動かしてクロージャ３６を開けようとする使用者に対して四重の課題を提示する。スライダ１は、枠が無く可撓性のある水平のタブ２を備えており、これは、スライダ１の頂部に沿って延在している。スライダ１は、チャッククロージャ３６が閉位置のときに、袋体の一端で停止される。袋体Ｂを開けるためには、使用者は、一方の手を使って袋体Ｂの一端を持ち、もう一方の手でスライダ１を作動させる。スライダ１の作動は、少なくとも４つの操作によって達成される。
【００３３】
本願における図面および上記の詳細な説明を考察すると、チャッククロージャ３６が、クロージャ３６の長さの間の１ヶ所だけにおいて、つまり、ノッチ８において、口部３８を開けるのを開始できるようにしていることは明らかとなるはずである。これは、子どもによってクロージャ３６が簡単に開けられるのを阻止するのに役立つ。インターロックしている輪郭１４，１５の分離は、ノッチ８によってその輪郭１４，１５の側部で開始される。 このシステムは、他のシステムに対して、すなわち、上方から機械的な分離を可能にするために輪郭の頂部に沿った小さい開口を有する場合があるが、子どもが歯や指の爪をチャッククロージャの中に導入してそれを開けることができる他のシステムに対して、利点がある。
【００３４】
上記した説明は、本開示の例示的な原理を表わしている。多くの実施形態が、これらの原理を適用して作られ得る。
【符号の説明】
【００３５】
１  スライダ
２  タブ
３  トピード
４  枢動軸
５  キャビティ
６  チャック輪郭
８  ノッチ
１４  雄輪郭
１５  雌輪郭
１７  スライダ本体
１８  雄トラック
１９  雌トラック
２０  第一の脚部
２１  第二の脚部
２５  第一の本体パネル
２６  第二の本体パネル
３６  チャッククロージャ
３８  口部
４６  ベース
４８  頂部材
５０  底部材
【図１】
0006530374.tif 000002
【図２】
0006530374.tif 000003
【図３】
0006530374.tif 000004
【図４】
0006530374.tif 000005
【図５】
0006530374.tif 000006
【図６】
0006530374.tif 000007
【図７】
0006530374.tif 000008
【図８】
0006530374.tif 000009
【図９】
0006530374.tif 000010
【図１０】
0006530374.tif 000011
【図１１】
0006530374.tif 000012
【図１２】
0006530374.tif 000013
【図１３】
0006530374.tif 000014
【図１４】
0006530374.tif 000015
【図１５】
0006530374.tif 000016